(57)【要約】【課題】  大きな被梱包物と小さな被梱包物とを含む複数の被梱包物を１つの梱包箱内にがたつかないようにして収容させると共に、梱包箱内から梱包物を容易に取り出せるようにする。【解決手段】  大きな被梱包物１０Ａと小さな被梱包物１０Ｂとを含む複数の被梱包物を１つの梱包箱３内に収容させた梱包体において、上記の各被梱包物の長手方向両端部にそれぞれ緩衝材２０，３０を装着させるにあたり、各被梱包物の長手方向両端部に装着させる各緩衝材の高さｈ及び各被梱包物の長手方向両端部に各緩衝材を装着させた状態での長手方向の長さＬを一定にして、各被梱包物を梱包箱内に収容させると共に、小さな被梱包物の両端部に装着させる緩衝材３０に把持用空間部３２を形成した。【選択図】  図７
2008184198.tif 000002
【特許請求の範囲】
【請求項１】
大きな被梱包物と小さな被梱包物とを含む複数の被梱包物を１つの梱包箱内に収容させた梱包体において、上記の各被梱包物の長手方向両端部にそれぞれ緩衝材を装着させるにあたり、各被梱包物の長手方向両端部に装着させる緩衝材の高さ及び各被梱包物の長手方向両端部に各緩衝材を装着させた状態での長手方向の長さを一定にして、各被梱包物を梱包箱内に収容させると共に、小さな被梱包物の両端部に装着させる緩衝材に把持用空間部を形成したことを特徴とする梱包体。
【請求項２】
請求項１に記載の梱包体において、上面が開閉される梱包箱を用い、上記の小さな被梱包物の両端部に装着させる緩衝材の上面部に把持用空間部を形成したことを特徴とする梱包体。
【請求項３】
請求項１又は請求項２に記載の梱包体において、上記の被梱包物がトナーを収容させたイメージングカートリッジで、大きな被梱包物が黒色のトナーを収容させたイメージングカートリッジであり、小さな被梱包物が他の色彩のトナーを収容させたイメージングカートリッジであることを特徴とする梱包体。
【発明の詳細な説明】
【技術分野】
【０００１】
本発明は、複数の被梱包物を１つの梱包箱内に収容させるようにした梱包体に係り、大きな被梱包物と小さな被梱包物とを含む複数の被梱包物を１つの梱包箱内にがたつかないようにして収容させると共に、梱包箱内から梱包物を容易に取り出せるようにした点に特徴を有するものである。
【背景技術】
【０００２】
従来から、複写機やプリンタ等の画像形成装置に用いる各種のユニットやカートリッジなどの被梱包物を段ボールなどで構成された梱包箱内に収容させて、運搬したり、保管したりすることが行われている。
【０００３】
そして、各種のユニットやカートリッジなどの被梱包物を梱包箱内に収容させるにあたっては、被梱包物に衝撃が加わって被梱包物が破損したり、故障したりするのを防止するため、この被梱包物を収容させる梱包箱内に荷物用緩衝材を配置させ、この荷物用緩衝材によって被梱包物に加わる衝撃を緩和させることが行われている（例えば、特許文献１参照。）。
【０００４】
ここで、従来のものにおいては、上記のように梱包箱内に荷物用緩衝材を配置させて被梱包物を収容させるにあたっては、１つの被梱包物を個別に梱包箱内に収容させるようにしており、複数の被梱包物をまとめて１つの梱包箱内に収容させるようにはなっていなかった。
【０００５】
一方、近年においては、フルカラーの画像形成が行えるようになった画像形成装置が多く用いられるようになり、このようなフルカラーの画像形成装置においては、トナーを収容させたイメージングカートリッジとして、黒色，黄色，マゼンタ色，シアン色のトナーをそれぞれ個別に収容させた複数のイメージングカートリッジが使用されるようになっている。
【０００６】
このため、このように各色彩のトナーを収容させた複数のイメージングカートリッジをまとめて１つの梱包箱内に収容させて、運搬したり、保管したりすることが行われている。
【０００７】
ここで、このように各色彩のトナーを収容させた複数のイメージングカートリッジをまとめて１つの梱包箱内に収容させるにあたっては、一般に図１に示すように、イメージングカートリッジ１の長手方向の両側の端部をそれぞれ緩衝材２の装着凹部２ａ内に挿入させるようにして、イメージングカートリッジ１の長手方向の両端部に緩衝材２を装着させ、図２に示すように、このように緩衝材２を長手方向の両端部に装着させた各イメージングカートリッジ１を、１つの梱包箱３内に収容させるようにしている。
【０００８】
そして、このように各イメージングカートリッジ１を梱包箱３内に収容させるにあたっては、各イメージングカートリッジ１が梱包箱３内においてがたつかないようにするため、各イメージングカートリッジ１を梱包箱３内に密接させるようにしている。
【０００９】
しかし、このように各イメージングカートリッジ１を梱包箱３内に密接させるようにして収容させると、各イメージングカートリッジ１を梱包箱３内から取り出すことが困難になるという問題があった。
【００１０】
また、最近においては、上記のようなフルカラーの画像形成装置においても、モノクロ画像の形成によって黒色のトナーが多く消費されるため、黒色のトナーを収容させたイメージングカートリッジの大きさを、他の色彩のトナーを収容させたイメージングカートリッジよりも大きくして、多くの黒色のトナーを収容させることが行われている。
【００１１】
しかし、このように黒色のトナーを収容させたイメージングカートリッジを、他の色彩のトナーを収容させたイメージングカートリッジよりも大きくさせた場合、全てのイメージングカートリッジを上記のようにして１つの梱包箱内に収容させることが困難になり、例えば、黒色のトナーを収容させた大きなイメージングカートリッジに対応させた梱包箱内に他の色彩のトナーを収容させたイメージングカートリッジを一緒に収容させた場合、運搬時などに、他の色彩のトナーを収容させたイメージングカートリッジが梱包箱内において大きく振動して、イメージングカートリッジが破損したり、故障したりするという問題があった。
【特許文献１】特開２００４−２０５７９３号公報
【発明の開示】
【発明が解決しようとする課題】
【００１２】
本発明は、複数の被梱包物を１つの梱包箱内に収容させる場合における上記のような様々な問題を解決することを課題とするものであり、大きな被梱包物と小さな被梱包物とを含む複数の被梱包物を１つの梱包箱内にがたつかないようにして収容させると共に、梱包箱内から梱包物を容易に取り出せるようにすることを課題とするものである。
【課題を解決するための手段】
【００１３】
本発明においては、上記のような課題を解決するため、大きな被梱包物と小さな被梱包物とを含む複数の被梱包物を１つの梱包箱内に収容させた梱包体において、上記の各被梱包物の長手方向両端部にそれぞれ緩衝材を装着させるにあたり、各被梱包物の長手方向両端部に装着させる緩衝材の高さ及び各被梱包物の長手方向両端部に各緩衝材を装着させた状態での長手方向の長さを一定にして、各被梱包物を梱包箱内に収容させると共に、小さな被梱包物の両端部に装着させる緩衝材に把持用空間部を形成するようにしたのである。
【００１４】
ここで、上記のようにして複数の被梱包物を１つの梱包箱内に収容させるにあたっては、上面が開閉される梱包箱を用いると共に、上記の小さな被梱包物の両端部に装着させる緩衝材の上面部に把持用空間部を形成することが好ましい。
【００１５】
そして、上記の被梱包物としては、例えば、トナーを収容させたイメージングカートリッジが用いられ、大きな被梱包物としては、黒色のトナーを収容させたイメージングカートリッジが、小さな被梱包物としては、他の色彩のトナーを収容させたイメージングカートリッジが用いられる。
【発明の効果】
【００１６】
本発明における梱包体においては、大きな被梱包物と小さな被梱包物とを含む複数の被梱包物を１つの梱包箱内に収容させるにあたり、各被梱包物の長手方向両端部に装着させる緩衝材の高さ及び各被梱包物の長手方向両端部に各緩衝材を装着させた状態での長手方向の長さを一定にして、各被梱包物を梱包箱内に収容させるようにしたため、従来のように、運搬時などに小さな被梱包物が梱包箱内においてがたついて大きく振動するということがなく、小さな被梱包物が破損したり、故障したりするのが防止される。
【００１７】
また、本発明における梱包体においては、小さな被梱包物の両端部に装着させる緩衝材に把持用空間部を形成するようにしたため、各被梱包物を梱包箱内において密接させるようにして収容させた場合においても、緩衝材に形成された上記の把持用空間部を持って小さな被梱包物を梱包箱内から簡単に取り出すことができると共に、このように小さな被梱包物を梱包箱内から取り出した後は、大きな被梱包物を梱包箱内から簡単に取り出すことができるようになる。
【００１８】
また、上面が開閉される梱包箱を用いると共に、小さな被梱包物の両端部に装着させる緩衝材の上面部に把持用空間部を形成すると、開放された梱包箱の上面から、緩衝材の上面部に形成された把持用空間部を持って小さな被梱包物を簡単に取り出すことができるようになる。
【発明を実施するための最良の形態】
【００１９】
次に、この発明の実施形態に係る梱包体を添付図面に基づいて具体的に説明する。なお、この発明に係る梱包体は、下記の実施形態に示したものに限定されず、その要旨を変更しない範囲において適宜変更して実施できるものである。
【００２０】
この実施形態における梱包体においては、被梱包物として、トナーを収容させたイメージングカートリッジを用い、図３に示すように、大きな被梱包物１０Ａとして、黒色のトナーを収容させたイメージングカートリッジを用いる一方、小さな被梱包物１０Ｂとして、黄色，マゼンタ色，シアン色の各トナーを収容させた３つのイメージングカートリッジを用いている。
【００２１】
そして、図４に示すように、上記の大きな被梱包物１０Ａの長手方向の両側の端部をそれぞれ第１緩衝材２０の装着凹部２１内に挿入させるようにして、大きな被梱包物１０Ａの長手方向の両端部に第１緩衝材２０を装着させるようにしている。
【００２２】
また、図５に示すように、上記の小さな被梱包物１０Ｂの長手方向の両側の端部をそれぞれ第２緩衝材３０の装着凹部３１内に挿入させるようにして、小さな被梱包物１０Ｂの長手方向の両端部に第２緩衝材３０を装着させると共に、各第２緩衝材３０の上面部に把持用空間部３２を形成するようにしている。
【００２３】
ここで、上記の第１緩衝材２０と第２緩衝材３０としては、図４及び図５に示すように、それぞれ底面から上面までの高さｈが同じ高さのものを用い、また上記のように大きな被梱包物１０Ａの長手方向の両端部に第１緩衝材２０を装着させた状態と、小さな被梱包物１０Ｂの長手方向の両端部に第２緩衝材３０を装着させた状態とにおいて、それぞれ長手方向全体の長さＬが同じ長さになるようにしている。
【００２４】
そして、上記のように長手方向の両端部に第１緩衝材２０が装着された１つの大きな被梱包物１０Ａと、長手方向の両端部に第２緩衝材３０が装着された３つの小さな被梱包物１０Ｂとを、図６に示すように、長さ及び高さを揃えるようにして配列させ、このように１つの大きな被梱包物１０Ａと３つの小さな被梱包物１０Ｂとを配列させた状態で、これらを、図７に示すように、上面に蓋３ａが設けられた１つの梱包箱３内に収容させ、その後、この梱包箱３の蓋３ａを閉じるようにする。
【００２５】
このようにすると、梱包箱３内に収容された１つの大きな被梱包物１０Ａの長手方向の両端部に装着された第１緩衝材２０と、３つの小さな被梱包物１０Ｂとの長手方向の両端部に装着された第２緩衝材３０とが梱包箱３の内壁面に密接されると共に、図８及び図９に示すように、上記の第１緩衝材２０の上面と第２緩衝材３０の上面とがそれぞれ梱包箱３の蓋３ａに密接し、１つの大きな被梱包物１０Ａと３つの小さな被梱包物１０Ｂとがそれぞれ梱包箱３内においてがたつかないように収容されると共に、上記の第１緩衝材２０及び第２緩衝材３０によって上記の大きな被梱包物１０Ａや小さな被梱包物１０Ｂに加わる衝撃が緩和されるようになる。
【００２６】
また、このように収容させた１つの大きな被梱包物１０Ａと３つの小さな被梱包物１０Ｂとを梱包箱３内から取り出すにあたっては、前記の図７に示すように、上記の梱包箱３の上面における蓋３ａを開け、小さな被梱包物１０Ｂの長手方向の両端部に装着された上記の第２緩衝材３０の上面部に設けられている把持用空間部３２を持って、小さな被梱包物１０Ｂを梱包箱３内から取り出し、このようにして３つの小さな被梱包物１０Ｂを梱包箱３内から取り出した後、長手方向の両端部に第１緩衝材２０が装着された大きな被梱包物１０Ａを取り出すようにする。
【００２７】
このようにすると、梱包箱３内から３つの小さな被梱包物１０Ｂと１つの大きな被梱包物１０Ａとを簡単に取り出すことができるようになる。
【００２８】
なお、この実施形態においては、１つの大きな被梱包物１０Ａと３つの小さな被梱包物１０Ｂとを梱包箱３内に収容させるようにしたが、これらの数は特に限定されず、例えば、２つの大きな被梱包物１０Ａと２つの小さな被梱包物１０Ｂとを梱包箱３内に収容させるようにすることも可能である。
【図面の簡単な説明】
【００２９】
【図１】イメージングカートリッジの長手方向両端部に緩衝材を装着させた状態を示した従来例の概略断面図である。
【図２】長手方向両端部に緩衝材を装着させた同じ大きさの４つのイメージングカートリッジを梱包箱内に収容させた状態を示した従来例の断面説明図である。
【図３】本発明の一実施形態に係る梱包体において、梱包箱内に収容させる１つの大きな被梱包物と３つの小さな被梱包物とを示した概略平面図である。
【図４】同実施形態に係る梱包体において、大きな被梱包物の長手方向両端部に第１緩衝材を装着させた状態を示した概略断面図である。
【図５】同実施形態に係る梱包体において、小さな被梱包物の長手方向両端部に第２緩衝材を装着させた状態を示した概略断面図である。
【図６】同実施形態に係る梱包体において、長手方向両端部に第１緩衝材が装着された１つの大きな被梱包物と長手方向両端部に第２緩衝材が装着された３つの小さな被梱包物とを長さ及び高さを揃えるように配列させた状態を示した概略斜視図である。
【図７】同実施形態に係る梱包体において、長手方向両端部に第１緩衝材が装着された１つの大きな被梱包物と長手方向両端部に第２緩衝材が装着された３つの小さな被梱包物とを梱包箱内に収容させた状態を示した概略平面図である。
【図８】同実施形態に係る梱包体において、長手方向両端部に第１緩衝材が装着された大きな被梱包物が梱包箱内に収容されている状態を示した概略断面図である。
【図９】同実施形態に係る梱包体において、長手方向両端部に第２緩衝材が装着された小さな被梱包物が梱包箱内に収容されている状態を示した概略断面図である。
【符号の説明】
【００３０】
２  被梱包物
３  梱包箱
３ａ  蓋
１０Ａ  大きな被梱包物
１０Ｂ  小さな被梱包物
２０  第１緩衝材
２１  装着凹部
３０  第２緩衝材
３１  装着凹部
３２  把持用空間部
ｈ  緩衝材の底面から上面までの高さ
Ｌ  被梱包物の両端部に緩衝材を装着させた状態での長手方向の長さ
【図１】
2008184198.tif 000003
【図２】
2008184198.tif 000004
【図３】
2008184198.tif 000005
【図４】
2008184198.tif 000006
【図５】
2008184198.tif 000007
【図６】
2008184198.tif 000008
【図７】
2008184198.tif 000009
【図８】
2008184198.tif 000010
【図９】
2008184198.tif 000011